(57)【特許請求の範囲】
【請求項１】
粒径が0.01〜5.0mmのかんらん石(olivin)を有効成分として含有することを特徴とする芝生育促進用土壌改良剤組成物。
【請求項２】
請求項１記載の芝生育促進用土壌改良剤組成物により土壌を改良する方法であって、かんらん石の比率が土壌の5〜30体積％となるように前記組成物を土壌と混合することを特徴とする土壌の改良方法。
【請求項３】
粒径が0.01〜5.0mmのかんらん石を有効成分として含有することを特徴とする芝生育促進用培土砂。
【請求項４】
粒径が0.15〜2.0mmのかんらん石を有効成分として含有することを特徴とする芝生育促進用培土砂をフェアウェイ芝生に対し１〜２mmの厚さで１〜２回培土することを特徴とする韓国芝栽培法。
【発明の詳細な説明】
【０００１】
【発明の属する技術分野】
本発明は、芝生育促進用土壌改良剤組成物および培土砂に関する。より詳細には、本発明は、酸性土壌の改良効果があり、芝の生育を促進し、休眠期間を短縮させ、芝の葉色を濃く維持させる、かんらん石を有効成分として含有する土壌改良剤組成物、および土壌固結に因る踏圧問題を解決し、土壌の酸性化を防止し、芝の葉色を濃く維持させて品質を向上させる効果がある、かんらん石を主成分として含有する芝生育促進用培土砂に関する。
【０００２】
【従来の技術】
芝の成長と発育に影響を与える環境要因は、気候（ｃｌｉｍａｔｅ）環境、土壌（ｅｄａｐｈｉｃ）環境、生物（ｂｉｏｔｉｃ）環境の三つの主要グループに分けることができる。気候環境とは光・温度・水分、そして空気と関連するものであり、芝生の土壌環境とはザッチ（ｔｈａｔｃｈ）（図１）と土壌内で根や植物の組織から生じるものと関連するものである。生物環境とは、人による芝の利用や栽培的管理作業、他の生物との関連から起こるものを意味する。良質の芝を維持するためには、前記各環境について知らなければならず、それぞれの環境は個別的に作用するのではなく相関して芝に影響を及ぼすことを考慮しなければならない。芝の群落はその周囲の環境と共に芝の生態系を構成する。その中の土壌は植物が生育する基盤であり、その性質は植物の生育と非常に密接な関係があるため、芝および芝生を管理するには先ず土壌についての理解が必要である。芝生の場合、一般農土とは異なり踏圧と度々の刈草などのような苛酷な条件下にある上で、年中均一で密度が高い健康な芝を育成・維持するためには、芝の根群の物理的・化学的・生物的環境を適切に維持することが必須条件である。このためには、土壌調査を実施して芝の種類に応じて必要な土壌の物理的・化学的・生物的性質を分析して、適正な環境条件かどうかを把握して造成しなければならない。
【０００３】
土壌改良剤は、作物の生産量をより増加させ、土壌条件を作物生育に適合するように土壌の物理・化学的性質を改善させるために用いる物質であって、特に韓国の土壌は通常酸性を示す農耕地が大部分であるため、この酸性を弱化または中和させる石灰および珪酸などのアルカリ性物質を土壌改良剤として主に用いる。
【０００４】
かんらん石は含水珪酸塩で硬度が２．５〜４であり、またマグネシウムが非常に豊富で、マグネシウム以外の鉄・珪素のような土壌に必須の多くの有効成分を含んでいる。しかし、現在、かんらん石は建築用骨材として主に用いられており、作物栽培においては溶性燐肥の原料としてその使用が制限されてきた。
【０００５】
従来、かんらん石を利用した研究としては、日本特許公開番号第５５−１３７１８６にかんらん石を利用した土壌活性剤（ｓｏｉｌ  ａｃｔｉｖａｔｏｒ）に関する発明があるが、前記公知方法は菌糸体培養物に石灰石、パーライト、バーミキュライトおよびかんらん石粉末を混合して土壌の物理・化学的性質を改善するものであって、今まで芝にかんらん石を主材とした芝生育用土壌改良剤は開示されたことがなく、しかも最適の条件で芝を生育するためのかんらん石の処理方法は報告されたことがない。
【０００６】
一方、ゴルフ場の場合、一度造成された後に土壌の地盤を改良することは不可能であるため、培土（芝生の上に浅く砂・土のような材料を多量芝生に撒布して均一で平らにする作業）により土壌の物理特性を改良することもある。普通ゴルフ場土壌の改良方法は、初めに造成した地盤と類似の砂を芝生の上に培土する方法があるが、初めに造成した地盤が不良である場合には良質の培土砂を芝生に連続撒布して新たな表土層を作ることにより表面層だけの土壌を改良することもある。しかし、培土砂の選択を誤るといろいろな培土の被害が現れることもある。例えば、培土砂に多くの粘土が含まれている場合には、図９に示されている通り、土壌の固結速度が非常に早いため排水が不良になり、また、これを多量用いると芝の表面を過度に覆うようになって、芝の生育が一時的に著しく抑制されたり黄化現象を見せ、極端な場合には枯死に至ることもある。現在一部の管理者は培土砂としてピートモスや珪酸質を用いており、土壌のｐＨ調整を目的として石灰を用いることが多いが、最近石灰を持続的に用いているため土壌の透水性不良問題が深刻に憂慮されている。従って、土壌に化学的な成分を与え、芝の生育を助けながら同時に持続的な踏圧が問題になる芝生土壌の物理的問題まで補完することができる新たな培土砂の開発が望まれている。
【０００７】
【発明が解決しようとする課題】
本発明の目的は、芝生育促進用土壌改良剤組成物を提供することである。
【０００８】
本発明の別の目的は、前記土壌改良剤の処理方法を提供することにある。
【０００９】
本発明のまた別の目的は、土壌の固結に因る踏圧問題を解決し、土壌の酸性度調整効果を有する芝生育促進用培土砂を提供することにある。
【００１０】
【課題を解決するための手段】
本発明者らは、前記目的を達成するため、土壌改良剤としてかんらん石を利用し、既存の土壌改良剤である麦飯石・ゼオライトと、かんらん石（粉末化したもの）を土壌改良剤として用いてそれぞれの混合土を製造し、該混合土の透水速度、保水性（％）、乾燥密度、固相率、気相率などの基礎物性を調査する一方、韓国芝と西洋芝の生育において既存の土壌改良剤とかんらん石を主材とした土壌改良剤の効果を測定し、芝の生育に及ぼす影響を調査して、芝の生育に最適の混合比を決定し、また、培土砂（ｔｏｐｄｒｅｓｓｉｎｇ  ｓｏｉｌ）としてかんらん石を利用するために粒径０．０１〜５ｍｍ（粒径０．１５ｍｍ以下の粒子は全体の５％未満）のかんらん石を一般的な培土用砂と混合または単独で芝生に培土し、培土後の土壌調整効果と芝の品質を確認し、かんらん石の粒度、透水性、保水性、乾燥密度、固相率、気相率を確認・検討し、同時に、ゴルフ場土壌の酸性度調整のために最も多く用いられる二つの改良剤（珪酸質肥料、粒状消石灰）の培土効果を比較することにより、本発明を完成した。
【００１１】
すなわち、本発明は以下の（１）〜（５）に関する。
【００１２】
（１）粒径が０．０１〜５．０ｍｍのかんらん石（ｏｌｉｖｉｎ）を有効成分として含有することを特徴とする芝生育促進用土壌改良剤組成物。
【００１３】
（２）上記（１）記載の芝生育促進用土壌改良剤組成物を土壌に混合するステップにおいて、かんらん石の比率が土壌の５〜３０体積％になるように混合することを特徴とする芝生育促進用土壌改良剤の処理方法。
【００１４】
（３）粒径が０．０１〜５．０ｍｍのかんらん石を有効成分として含有することを特徴とする芝生育促進用培土砂。
【００１５】
（４）上記（３）記載の芝生育促進用培土砂をフェアウェイ芝生に対し１〜２ｍｍの厚さで１〜２回培土することを特徴とする韓国芝栽培法。
【００１６】
（５）上記（３）記載の芝生育促進用培土砂をグリーン芝生に対し０．１〜０．２ｍｍの厚さで５〜２０回培土することを特徴とする西洋芝栽培法。
【００１７】
【発明の実施の形態】
以下、本発明を詳細に説明する。
【００１８】
本発明はかんらん石を主材とする芝生育促進用土壌改良剤と培土砂に関する。
【００１９】
本発明に係る芝生育促進用土壌改良剤に使用しうるかんらん石の粒径  （ｐａｒｔｉｃｌｅ  ｓｉｚｅ）は０．０５〜５．０ｍｍ、望ましくは０．１５〜２．０ｍｍであり、粒度が９０％以上であるのが好ましい。本土壌改良剤の土壌との混合比率は全体の土壌の５〜３０体積％、望ましくは１０体積％である。
【００２０】
本発明に係る芝生育促進用培土砂に関しては、フェアウェイ培土用かんらん石の粒径は０．０１〜５．０ｍｍ、望ましくは０．１５〜２．０ｍｍ（粒度９０％以上）であり、グリーン培土用かんらん石の粒径は０．０１〜２．０ｍｍ、望ましくは０．１５〜１．０ｍｍ（粒度９０％以上）である。
【００２１】
本発明の芝生育促進用培土砂は、フェアウェイ芝生（韓国芝）の場合には１〜２ｍｍ厚さで１〜２回培土して栽培し、グリーン芝生（西洋芝）の場合には０．１〜０．２ｍｍ厚さで５〜２０回培土して栽培する。
【００２２】
以下、本発明の具体的な方法を実施例を挙げて詳細に説明するが、本発明の権利範囲はこれら実施例にのみ限定されるのではない。
【００２３】
【実施例】
実施例１：かんらん石を主材とする土壌改良剤の特性調査
本実施例では、かんらん石を主材とする土壌改良剤の混合比率による透水性、保水性、乾燥密度、固相率、気相率などの基礎物性を調査し、芝の初期生育と休眠期の生育および芝の品質を調査した。
【００２４】
本実施例は、かんらん石を土壌改良剤として用いた処理区、ゼオライト・麦飯石を土壌改良剤として用いた比較区および土壌改良剤を処理しなかった無処理区の透水速度、保水性、乾燥密度、固相率、気相率などの基礎物性を測定する段階（フィールド実験）；前記実験区における韓国芝と西洋芝の初期生育、芝の品質、休眠期芝の生育を比較・測定する段階（ポット実験）から構成される。
【００２５】
前記フィールド実験段階ではケンタッキーブルーグラス‘ａｗａｒｄ’を用い、ポット実験段階では韓国芝（ノシバ：Ｚｏｙｓｉａｇｒａｓｓ）、西洋芝（多年生ライグラス：Ｐｅｒｅｎｎｉａｌ  ｒｙｅｇｒａｓｓ）の芝草種を用いた。
【００２６】
前記土壌改良剤の処理別芝生育調査段階において、初期生育は播種２ヶ月後に単位面積当りの乾燥重量を測定し、休眠期芝の生育は芝休眠初期（播種５ヶ月後、２０００年１１月）、芝休眠打破時期（播種１０ヶ月後、２００１年４月）に芝生育を調査した。
【００２７】
実施例１−１：土壌改良剤混合土の基礎物性測定（フィールド実験）
かんらん石、麦飯石、ゼオライト、砂、ピートモス（ｐｅａｔｍｏｓｓ）を下記表１の組成比でそれぞれ混合した後、１ｍｘ１ｍｘ３０ｃｍの処理区に芝草種ケンタッキーブルーグラス‘Ａｗａｒｄ’を播種した後、種子が見えない程度に浅く覆土した。全ての処理区は無作為に配置して三度繰り返して行い、造成６ヶ月後に土壌の透水速度、保水性（％）、乾燥密度、固相率、気相率を比較分析した。測定方法は次の通りにした。
【００２８】
透水速度は下記式（Ｉ）により計算し、式中、Ｑ＝流量、ΔＨ＝水頭差、Ｌ＝試料の長さ、Ａ＝断面積、ｔ＝時間を示す。
【００２９】
0003566672.tif 000002
保水性は、１００ｍｌの採土管に土壌を充填して砂柱法により１０ｋＰａの負圧を加えて土壌水分と負圧との平衡状態を確認した後、土壌水分量を測定した。土壌の乾燥密度は、１００ｍｌの採土管に土壌を押し固めながら完全に充填して１０５℃に調整された乾燥機で２４時間水分を蒸発させた後、質量を測定して乾燥密度を計算した。最後に、土壌の固相率と気相率は乾燥密度と真比重の計算により算出した。
【００３０】
上記の方法による分析の結果、表２に示した通り、かんらん石を土壌改良剤として混合した場合には、適当な透水性・保水性を示し、かんらん石の基礎物性が芝の土壌改良剤としての使用に適していることを確認した。
【００３１】
【表１】
0003566672.tif 000003
【表２】
0003566672.tif 000004
実施例１−２：本発明の土壌改良剤を用いた芝種子の播種（ポット実験）
ワグナーポットに表３のような組成比で土壌改良剤（かんらん石、麦飯石、ゼオライト、砂）を混合した土壌を入れて、韓国芝（ノシバ）および西洋芝（多年生ライグラス）の合計２個の種子を播種した後、種子が見えない程度に浅く覆土して用いた。
【００３２】
【表３】
0003566672.tif 000005
実施例１−３：芝の初期生育（乾燥重量）調査
前記実施例１−２の芝播種２ヶ月後、単位面積当りの乾燥重量を測定して、本発明の土壌改良剤を用いた場合の初期生育に及ぼす影響を調査し、全ての試験区は無作為に配置して三度繰り返し実施した。
【００３３】
実験結果は、図２に示した通り、土壌改良剤に対する韓国芝の生育を比較すると、ゼオライト＞麦飯石＞かんらん石の順で良好であった。かんらん石処理区で初期１ヶ月間は韓国芝の発育が多少不良であるため、播種後６０日間の韓国芝の平均乾燥重量平均を調査した結果、全体的にはかんらん石を混合した処理区の芝乾燥重量がやや低かった。この初期生育低下の原因としては、水分不足と、そしてかんらん石自体がｐＨ８．５〜８．６のアルカリ性であるため、生育初期に弱酸性〜中性を選好する韓国芝の生育を助けることができないことが原因であると推測された。従って、韓国芝の生育では、生育初期に芝の水分管理とｐＨを中性に維持することができる他の有機物土壌改良剤を一部混合して用いれば、砂の代わりにかんらん石が一定比率混合された芝地盤を造成する場合に、韓国芝の初期生育を図りながら全体成長を助けることができるものと期待される。
【００３４】
その反面、西洋芝の場合は全処理区でかんらん石を１０体積％混合した処理区の生育が最も良好であり、その次が麦飯石１０体積％、２０体積％の順であった。かんらん石処理区の生育が良好であった最も大きい理由としては、西洋芝は土壌酸性度が中性〜弱アルカリ性（ｐＨ６〜７）で良好に生育するためであり、また、土壌の酸性度を調整する以外にも、かんらん石が他の改良剤よりも微量要素である鉄やマグネシウムなどの無機物（表４）を多く含有しているため、芝に栄養分を供給する効果を与えるからであると判断された。土壌改良剤の混合率が１０体積％である処理区の芝生育を比較して見れば、かんらん石＞麦飯石＞ゼオライトの順に生育が良好であると示された。
【００３５】
【表４】
0003566672.tif 000006
実施例１−４：芝の品質調査
前記実施例１−２で播種した芝の品質を調査した。芝の品質（Ｔｕｒｆ  Ｑｕａｌｉｔｙ）は播種１ヶ月後および２ヶ月後に、博士号取得専門家２人以上が１（最悪）〜９（最良）で達観調査を実施し、全ての試験区は無作為に配置して三度繰り返し実施した。
【００３６】
視覚的に韓国芝の品質を分析した結果、図３に示した通り、播種３０日後（ａ）の場合、砂と麦飯石１０体積％が良好で、かんらん石２０体積％の芝品質が最も不良な状態を示した。播種６０日後（ｂ）の調査では、ゼオライト１０体積％が最も良好であったが、全処理区で芝品質の差異は非常に少なかった。全体的には、かんらん石の処理区で他の改良剤よりも韓国芝の品質がやや劣る傾向を示したが、６０日目に至っては無処理区に比べて生育が良く、他の改良剤とも大した差異を示さなかった。
【００３７】
西洋芝（多年生ライグラス）の品質は、図４に示した通り、播種３０日後の結果において、かんらん石１０体積％で処理された地盤で最も優れた品質を示し、次にかんらん石２０体積％、ゼオライト２０体積％、麦飯石１０体積％、２０体積％の順に良好な品質を示した。そして、播種後６０日（ｂ）では差異が大きくなり、かんらん石１０体積％混合処理区の芝生育が最も良好であり、全体的には夏期高温と乾燥に非常に弱い西洋芝の特性のため、全ての処理区の芝品質が多少低く現れた。
【００３８】
実施例１−５：休眠期芝の生育調査
休眠期芝の生育は、芝休眠初期（播種５ヶ月後、２０００年１１月）、芝休眠打破時期（播種１０ヶ月後、２００１年４月）に芝の生育を調査した。
【００３９】
播種後５ヶ月間の韓国芝の生育を観察した結果、図５に示した通り、無処理区に比べてかんらん石処理区の芝被覆率は非常に高く、葉色においても顕著な差異を示した。全生育期間にわたって、かんらん石処理区の芝の葉色は非常に濃い緑色を帯び、特に休眠期である１１月には、大部分の韓国芝の光合成が終わるのに対し、かんらん石処理区では依然と緑色を維持するという結果を得た。
【００４０】
西洋芝の生育でも、図６に示した通り、無処理区に比べて葉色が非常に濃い緑色を帯び、これは２週間以上長く持続した。また、地上部の成長と被覆率面においても全て優れていることが示された。
【００４１】
芝休眠打破時期（播種１０ヶ月後）において芝の生育は、図７，８に示した通り、休眠から醒めて生育を始めるグリーアップ期（ｇｒｅｅｎ−ｕｐ）において、かんらん石処理区の芝が７〜１０日程早い生育を示し、全体の生育期間中の緑色期間が１ヶ月以上長くなるのを観察することができた。このように、芝の休眠期間を短縮させた原因としては、土壌改良剤であるかんらん石の色が黒色を帯びているため、一般の土壌に比べて相対的な熱吸収率が高く、またかんらん石の成分において光合成の必須要素であるＭｇの含量が非常に高いことが原因であると推測される。従って、かんらん石を芝の地盤改良剤として混合して用いる場合、１年間にわたり芝の生育を徐々に助けながら緑色期間を延長する効果があるため、ゴルフ場や公園の全体利用期間を延長するのに大いに寄与するであろうと期待される。
【００４２】
実施例２：かんらん石を主材とする培土砂の特性調査
本実施例では、かんらん石を主材とする培土砂のｐＨ、培土による土壌ｐＨ調整効果、粒度、基礎物性、およびかんらん石の混合比率によるｐＨ調整効果、芝の視覚的品質および生育を調査した。
【００４３】
本実施例は、本発明の芝生育促進用培土砂の土壌調整効果を測定するためにかんらん石（粒径０．１５〜２．０ｍｍ以上であり、９０％以上の粒度分布）と、これと粒子が類似する土壌改良剤２種（珪酸質肥料、粒状消石灰）のｐＨを分析して、それぞれをフェアウェイ芝生（韓国芝）に１．０ｍｍ厚さで１回処理し、３ヶ月後にｐＨの変化を測定する段階；かんらん石の粒度を調査する段階；既存のフェアウェイ用培土砂と透水性、保水性、乾燥密度、固相率、気相率などの基礎物理的特性に関して比較し、かんらん石の物理的特性を調査する段階；かんらん石の混合比率による土壌ｐＨ調整効果を調査する段階；グリーン芝（西洋芝）にかんらん石を０．１ｍｍ厚さで１０回培土を実施後、芝の視覚的品質と芝の生育を測定する段階から構成される。
【００４４】
前記実験段階では韓国芝（ノシバ）と西洋芝（ベントグラス：Ｂｅｎｔｇｒａｓｓ）の芝草種を用いた。
【００４５】
実施例２−１：既存の土壌改良剤とかんらん石のｐＨ調査
ゴルフ場で多く用いられる既存の土壌改良剤とかんらん石を主成分とした土壌改良剤のｐＨを土壌化学分析法により比較した。
【００４６】
室内で土壌改良剤のｐＨを比較した結果、下記表５に示した通り、かんらん石の酸性度は珪酸質肥料と殆ど同じであり、ゴルフ場で最も良い評判を得ているＰｅｌ−ＬｉｍｅよりｐＨが高いのが分かった。最も酸性度が高かったのは消石灰であった。かんらん石の粒径によるｐＨの変化はなく、砂と混合して培土する場合には、土壌調整効果を確認した結果、ｐＨ上昇効果が期待された。
【００４７】
【表５】
0003566672.tif 000007
実施例２−２：土壌ｐＨ調整効果の測定
既存の土壌改良剤（珪酸質肥料、粒状消石灰）と本発明のかんらん石培土砂の土壌ｐＨ調整効果を比較するために、粒度（粒径０．１５〜２．０ｍｍであり、９０％以上の粒度分布）が類似した粒度の土壌改良剤３種（フェアウェイ用かんらん石、珪酸質肥料、粒状消石灰）を表６の条件でフェアウェイ芝生（韓国芝：Ｚｏｉｓｉａ  Ｊａｐｏｎｉｃａ）に１．０ｍｍ厚さ（コース管理時に一般的に処理される量を基準とする）で１回処理した。
【００４８】
【表６】
0003566672.tif 000008
フィールドに直接処理した後、３ヶ月後に土壌酸性度を測定した結果は表７に示した通りであり、試料処理３ヶ月後の土壌酸性度の調整効果は、消石灰＞珪酸質＞かんらん石の順でｐＨが高かった。かんらん石の場合、土壌酸性度において珪酸質肥料と類似の調整効果を示した。この結果から、今後フェアウェイ培土砂にかんらん石（或いは砂と混合して）を用いるならば、一度の培土作業で珪酸質肥料撒布効果まで同時に得ることができるので、土壌調整のためのコース管理作業を簡素化し得るであろうと判断された。フィールドに処理した後、他の改良剤と土壌酸性度調整効果を比較した結果、かんらん石で培土した処理区で珪酸質肥料と類似の効果が示されたため、今後ゴルフ場の芝生では珪酸質肥料の代わりにかんらん石で培土することにより、土壌酸性化問題を解決し得るであろうことが期待される。特に、土壌の固結を防止しながら土壌酸性度を少しずつ調整するため、芝のストレスを最少化しながらｐＨを調整することができるという点は非常に望ましい条件であると考えられる。
【００４９】
【表７】
0003566672.tif 000009
実施例２−３：培土砂の粒度調査
培土砂において最も重要な粒度を、既存のフェアウェイおよびグリーンの粒度砂と比較分析した結果、表８に示した通り、用途によるかんらん石の粒度は培土砂の粒度と殆ど差異がなく、粒径２．０ｍｍ以下の粒度分布が９０％以上であった。特に、かんらん石培土砂は粒径０．２５〜１．０ｍｍの粒度分布が非常に高いという点と、多くの培土用改良剤において問題になる粘土粒子（粒径０．１ｍｍ以下）の粒度分布が非常に小さいという点で、土壌の固結を誘発せずにゴルフ場の踏圧問題を解決するのに多いに役立つであろうと期待される。また、かんらん石の場合、岩石を望ましい粒子の大きさに破砕して生産するため、一般の培土用砂とは異なり、粒径２．０ｍｍ以下の粒子を９０％以上（フェアウェイ用）、粒径１．０ｍｍ以下の粒子を９０％以上（グリーン用）の範囲になるように土壌改良剤の粒度を適正水準に調節して最適の粒度条件を満たすことができるという点も相当に利点があると判断された。
【００５０】
【表８】
0003566672.tif 000010
実施例２−４：基礎物性の調査
かんらん石がゴルフ場の培土用として適切であるかどうかを判定するために、基礎的な物性を調査し、次に、これを培土する場合のｐＨ調整効果を測定した。
【００５１】
粒径２．０ｍｍ以下の粒度分布が９０％以上であるフェアウェイ用（Ｆ）かんらん石とフェアウェイ用一般砂を下記表９のような比率で混合した後、二つの土壌の混合率による保水性、透水性、乾燥密度、ｐＨを測定した。
【００５２】
フェアウェイ用砂とかんらん石（Ｆ）の混合率による保水性、透水性、乾燥密度を測定した結果、砂とかんらん石の混合土の間で差異は殆どなく、単に透水性と乾燥密度において、かんらん石の混合率が高くなる程、透水速度と共に乾燥密度が少し減少した。しかし、米国のゴルフ管理者協会の基準によれば、一般的な培土砂として推薦される砂の透水速度が３００〜６００ｍｍを超すと芝生土壌の透水性において深刻な透水性問題がないため、望ましい仕様である。本調査結果によりかんらん石の物性は培土砂の条件を十分に満足させることが示された。
【００５３】
【表９】
0003566672.tif 000011
実施例２−５：かんらん石と砂の混合比率によるｐＨ変化（フィールド実験）
かんらん石の混合量による土壌ｐＨ効果を測定するために、フェアウェイ培土用砂とかんらん石を表１０のような比率で混合して、フェアウェイ（韓国芝）芝生に１ｍｍ厚さで１回培土を施し、グリーン培土用砂とかんらん石もまた同一の比率で混合してグリーン（西洋芝）芝生に０．１ｍｍ厚さで１０回培土を施した。
【００５４】
土壌ｐＨ測定は処理後１ヶ月間隔で行った。
【００５５】
【表１０】
0003566672.tif 000012
一般培土用砂（フェアウェイ用）とかんらん石（Ｆ）のｐＨを室内で調査した結果、図１０に示した通り、砂のｐＨは６．２〜６．３で弱酸性であり、かんらん石のｐＨは８．４のアルカリ性であった。これらを一定比率で混合した結果、１０％混合時のｐＨは１．３以上上昇し、５０％以上混合した場合には８．３以上増加するのを観察することができた。従って、かんらん石混合土を培土する場合、一般の培土用砂とは異なり優れたｐＨ調整効果が期待される。
【００５６】
実施例２−６：芝の視覚的品質および芝の生育調査
ベントグラスグリーン（西洋芝）にかんらん石を０．１ｍｍ厚さで１０回培土を施した後、処理後１ヶ月間隔で芝の視覚的品質（Ｔｕｒｆ  Ｑｕａｌｉｔｙ）と芝の生育を測定した。
【００５７】
芝の視覚的品質は処理後１ヶ月間隔で調査し、１（最悪）〜９（最良）で博士号取得専門家２人により達観調査を実施した。芝の生育は処理後１ヶ月間隔で根の長さ、単位面積当りの乾燥重量、クロロフィル含量、芝密度を調査した。
【００５８】
ベントグラスグリーンにかんらん石（Ｇ）を培土処理した結果、密度や地下部の芝生育には顕著な差異がなかったが、視覚的な品質には顕著な差異を示した。図１１に示した通り、かんらん石を培土したグリーンでは芝の葉色が非常に濃くなり、一般的な培土用砂を培土した時よりグリーンの視覚的品質を向上させるものと示された。
【００５９】
一方、芝の品質を調査した結果、一般的な培土用砂と比較してグリーンにおいては、かんらん石はベントグラス芝の密度や地下部の生育には他の影響を及ぼさないと観察されたが、芝の葉色をより濃くし、品質を向上させると示された。
【００６０】
【発明の効果】
本発明によれば、粒子の粒径が０．０５〜５．０ｍｍ（粒径０．１５ｍｍ以下の粒子は全体の５％未満）であるかんらん石を有効成分とする土壌改良剤を土壌に５〜３０体積％になるように混合して芝を生育させると、酸性土壌の改良効果があり、芝の生育を促進し、休眠期間を短縮させ、芝の葉色を濃く維持させる非常に優れた効果がある。本発明に従って、かんらん石を砂と混合して培土する場合には、土壌酸性度を少しずつ調整するため、芝のストレスを最少化しながら土壌のｐＨを調整することができる効果があり、従来の培土用改良剤において問題になる粘土粒子の分布が非常に少ないため、土壌固結を誘発せずにゴルフ場の踏圧問題を解決し、芝の葉色を濃くして砂の培土時より芝生の視覚的品質を向上させる効果がある。従って、本発明は芝栽培産業上非常に有用である。
【図面の簡単な説明】
【図１】図１は芝生の土壌断面の模式図である。
【図２】図２は、播種２ヶ月後における韓国芝（ノシバ）（ａ）と西洋芝（多年生ライグラス）（ｂ）の単位面積当りの乾燥重量を調査した結果を示したグラフである。
【図３】図３は播種１ヶ月後（ａ）と２ヶ月後（ｂ）の韓国芝の品質調査結果を示したグラフである。
【図４】図４は播種１ヶ月後（ａ）と２ヶ月後（ｂ）の西洋芝の品質調査結果を示したグラである。
【図５】図５は休眠初期の韓国芝の品質比較を示した写真である（左側：無処理：右側：かんらん石処理）。
【図６】図６は休眠初期の西洋芝の品質比較を示した写真である（左側：無処理、右側：かんらん石処理）。
【図７】図７は休眠打破期の韓国芝の品質比較を示した写真である（右側：無処理、左側：かんらん石処理）。
【図８】図８は休眠打破期の西洋芝の品質比較を示した写真である（右側：無処理、左側：かんらん石処理）。
【図９】図９は土壌固結が進行している土壌断面を示した模式図である（ａ：土壌が固結する前、ｂ：土壌が固結した後）。
【図１０】図１０は培土用砂とかんらん石の混合比率によるｐＨ分析結果を示したグラフである。
【図１１】図１１は一般的な培土用砂１００％（ａ）とかんらん石１００％（ｂ）を培土砂として用いた場合の、芝の視覚的品質を示す写真である。
【図１】
0003566672.tif 000013
【図２】
0003566672.tif 000014
【図３】
0003566672.tif 000015
【図４】
0003566672.tif 000016
【図５】
0003566672.tif 000017
【図６】
0003566672.tif 000018
【図７】
0003566672.tif 000019
【図８】
0003566672.tif 000020
【図９】
0003566672.tif 000021
【図１０】
0003566672.tif 000022
【図１１】
0003566672.tif 000023